(57)【要約】【課題】表示装置に接続された他の装置が管理する情報に基づいて、表示装置の動作を制御できるようにする。【解決手段】プロジェクター１１は、画像を表示する表示手段を備え、当該プロジェクター１１の使用予定情報を取得し、取得した使用予定情報に基づいて、当該プロジェクター１１の表示開始時刻に表示手段による表示を開始する。【選択図】図１
2015172758.tif 000002
【特許請求の範囲】
【請求項１】
表示装置であって、
画像を表示する表示手段と、
当該表示装置の使用予定情報を取得する情報取得手段と、
前記情報取得手段により取得された使用予定情報に基づいて、当該表示装置の表示開始時刻に前記表示手段による表示を開始する起動制御手段と、を備えたこと、
を特徴とする表示装置。
【請求項２】
前記使用予定情報は、複数の前記表示装置がそれぞれ設置された設置場所毎に用意され、
前記情報取得手段は、当該表示装置が設置された設置場所に対応する前記使用予定情報を取得することを特徴とする請求項１記載の表示装置。
【請求項３】
前記起動制御手段は、前記情報取得手段により取得された使用予定情報に基づいて当該表示装置の表示開始時刻を求め、求めた使用開始時刻から、当該表示装置の表示状態を安定させるために必要な時間を差し引いた準備開始時刻に前記表示手段を起動することを特徴とする請求項１または２記載の表示装置。
【請求項４】
前記表示手段として、光源を有し、前記光源の投射光により画像を投射面に投射する投射手段を備えたプロジェクターとして構成され、
前記起動制御手段は、前記情報取得手段により取得された使用予定情報に基づいて求めた表示開始時刻に、前記光源の光量が安定するまでに必要な時間を差し引いた準備開始時刻に前記光源を点灯させることを特徴とする請求項３記載の表示装置。
【請求項５】
前記起動制御手段は、前記準備開始時刻またはそれ以前の所定期間内に前記光源が点灯されている場合には、前記準備開始時刻に前記光源を点灯する制御を行わないことを特徴とする請求項４記載の表示装置。
【請求項６】
前記起動制御手段は、前記使用予定情報に基づいて当該表示装置の表示終了時刻を求め、求めた表示終了時刻に前記表示手段による表示を終了することを特徴とする請求項１から５のいずれかに記載の表示装置。
【請求項７】
前記情報取得手段は、前記表示手段による表示中も前記使用予定情報を取得することを特徴とする請求項１から６のいずれかに記載の表示装置。
【請求項８】
通信回線を介して他の装置との間で音声及び画像を送受信し、送受信する音声及び画像を出力する通信装置に接続され、
前記通信装置が出力する画像を前記表示手段により表示する表示制御手段を備えたことを特徴とする請求項１から７のいずれかに記載の表示装置。
【請求項９】
当該表示装置または当該表示装置と他の前記表示装置とに関する前記使用予定情報を有し、
前記情報取得手段は、当該表示装置が有する前記使用予定情報または他の前記表示装置が有する前記使用予定情報を取得することを特徴とする請求項１から８のいずれかに記載の表示装置。
【請求項１０】
画像を表示する表示手段を備えた表示装置と、前記表示装置の使用開始予定を示す使用予定情報を記憶した予定管理装置とを通信可能に接続して構成され、
前記表示装置は、
前記予定管理装置から当該表示装置の使用予定情報を取得する情報取得手段と、
前記情報取得手段により取得された使用予定情報に基づいて、当該表示装置の表示開始時刻に前記表示手段による表示を開始する起動制御手段と、を備えたこと、
を特徴とする表示システム。
【請求項１１】
画像を表示する表示手段を備えた表示装置の制御方法であって、
当該表示装置の使用予定情報を取得し、
取得した前記使用予定情報に基づいて、当該表示装置の表示開始時刻に前記表示手段による表示を開始すること、
を特徴とする表示装置の制御方法。
【請求項１２】
画像を表示する表示手段を備えた表示装置を制御するコンピューターが実行可能なプログラムであって、
前記コンピューターを、
当該表示装置の使用予定情報を取得する情報取得手段と、
前記情報取得手段により取得された使用予定情報に基づいて、当該表示装置の表示開始時刻に前記表示手段による表示を開始する起動制御手段と、
して機能させるためのプログラム。
【発明の詳細な説明】
【技術分野】
【０００１】
本発明は、表示装置、表示システム、表示装置の制御方法、及び、プログラムに関する。
【背景技術】
【０００２】
従来、プロジェクター等の表示装置に端末装置を接続して、この端末装置に記録された情報に基づいてプロジェクターを動作させる例が知られている（例えば、特許文献１参照）。特許文献１記載の構成では、プロジェクターが、ＵＳＢ接続された記録媒体に記録された情報に基づいてＬＡＮに接続して、コンピューターと通信可能な状態となる。
【先行技術文献】
【特許文献】
【０００３】
【特許文献１】特開２０１０−１０７７０７号公報
【発明の概要】
【発明が解決しようとする課題】
【０００４】
特許文献１記載の構成によれば、ＵＳＢ接続された記録媒体により、表示装置の動作に係る情報を設定できる。しかしながら、表示装置に接続された装置が管理する情報に基づいて、表示装置自体の動作、例えば起動や終了等を制御することはできなかった。
本発明は、上述した事情に鑑みてなされたものであり、画像を表示する表示装置に接続された他の装置が管理する情報に基づいて、表示装置の動作を制御できるようにすることを目的とする。
【課題を解決するための手段】
【０００５】
上記課題を解決するため、本発明は、表示装置であって、画像を表示する表示手段と、当該表示装置の使用予定情報を取得する情報取得手段と、前記情報取得手段により取得された使用予定情報に基づいて、当該表示装置の表示開始時刻に前記表示手段による表示を開始する起動制御手段とを備えたことを特徴とする。
本発明によれば、表示装置が使用予定情報を取得して、この使用予定情報に基づいて表示開始時刻に表示を開始するので、表示装置の使用予定情報を用意しておくことによって表示装置の起動を制御できる。従って、表示装置の起動を自動化することができ、ユーザーの利便性の向上を図ることができる。
【０００６】
また、本発明は、上記表示装置において、前記使用予定情報は、複数の前記表示装置がそれぞれ設置された設置場所毎に用意され、前記情報取得手段は、当該表示装置が設置された設置場所に対応する前記使用予定情報を取得することを特徴とする。
本発明によれば、表示装置が設置された設置場所の使用予定情報に基づいて、表示装置が使用予定情報を取得して表示を開始するので、設置場所の使用予定情報を用意しておくことで当該設置場所に設置された表示装置の起動を制御できる。これにより、表示装置を識別しなくても、設置場所単位で使用予定を決めておけば、必要な表示装置を自動的に起動させることができる。従って、より一層の利便性の向上を図ることができる。
【０００７】
また、本発明は、上記表示装置において、前記起動制御手段は、前記情報取得手段により取得された使用予定情報に基づいて当該表示装置の表示開始時刻を求め、求めた表示開始時刻から、当該表示装置の表示状態を安定させるために必要な時間を差し引いた準備開始時刻に前記表示手段を起動することを特徴とする。
本発明によれば、表示装置が、自装置の表示状態を安定させるために必要な時間を差し引いて動作し、使用予定情報に基づいて表示を開始する。これにより、表示装置の使用開始前に表示装置を起動させておく等の人手による作業が必要なくなり、より一層の利便性の向上を図ることができる。
【０００８】
また、本発明は、上記表示装置において、前記表示手段として、光源を有し、前記光源の投射光により画像を投射面に投射する投射手段を備えたプロジェクターとして構成され、前記起動制御手段は、前記情報取得手段により取得された使用予定情報に基づいて求めた表示開始時刻に、前記光源の光量が安定するまでに必要な時間を差し引いた準備開始時刻に前記光源を点灯させることを特徴とする。
本発明によれば、プロジェクター自体が、プロジェクターの光源の光量が安定するまでの時間を差し引いて光源を点灯し、定められた時刻に表示を開始する。これにより、プロジェクターを使用する前に、予め電源を投入しておくといった手間を省くことができ、より一層の利便性の向上を図ることができる。
【０００９】
また、本発明は、上記表示装置において、前記起動制御手段は、前記準備開始時刻またはそれ以前に前記光源が点灯されている場合には、前記準備開始時刻に前記光源を点灯する制御を行わないことを特徴とする。
本発明によれば、光源が消灯されていた時間が短く、光量が安定するまでに時間がかからない場合に、予め光源を点灯する動作が行われないので、消費電力を抑えることができ、ユーザーの利便性を損なうことなく、効率よくプロジェクターを使用できる。
【００１０】
また、本発明は、上記表示装置において、前記起動制御手段は、前記使用予定情報に基づいて当該表示装置の表示終了時刻を求め、求めた表示終了時刻に前記表示手段による表示を終了することを特徴とする。
本発明によれば、使用予定情報を利用して表示装置を制御し、自動的に表示を終了させることができる。
【００１１】
また、本発明は、上記表示装置において、前記情報取得手段は、前記表示手段による表示中も前記使用予定情報を取得することを特徴とする。
本発明によれば、表示装置が表示の実行中も使用予定情報を取得するので、最新の使用予定情報に基づいて表示装置を動作させることができる。
【００１２】
また、本発明は、上記表示装置において、通信回線を介して他の装置との間で音声及び画像を送受信し、送受信する音声及び画像を出力する通信装置に接続され、前記通信装置が出力する画像を前記表示手段により表示する表示制御手段を備えたことを特徴とする。
本発明によれば、通信回線を介して音声及び画像を送受信する通信装置の画像を表示する表示装置を、使用予定情報を用いて自動的に起動させ、表示を開始させることができる。
【００１３】
また、本発明は、上記表示装置において、当該表示装置または当該表示装置と他の前記表示装置とに関する前記使用予定情報を有し、前記情報取得手段は、当該表示装置が有する前記使用予定情報または他の前記表示装置が有する前記使用予定情報を取得することを特徴とする。
本発明によれば、表示装置の使用予定情報を表示装置自身が管理することが可能となるので、使用予定情報の管理が容易になり、また、表示装置を複数使用してシステムを構成する場合にシステムの構築及び構成変更が容易になる。
【００１４】
また、上記課題を解決するため、本発明は、画像を表示する表示手段を備えた表示装置と、前記表示装置の使用開始予定を示す使用予定情報を記憶した予定管理装置とを通信可能に接続して構成され、前記表示装置は、前記予定管理装置から当該表示装置の使用予定情報を取得する情報取得手段と、前記情報取得手段により取得された使用予定情報に基づいて、当該表示装置の表示開始時刻に前記表示手段による表示を開始する起動制御手段とを備えたことを特徴とする。
本発明によれば、表示装置が予定管理装置から使用予定情報を取得して、表示開始時刻に表示を開始する。これにより予定管理装置に表示装置の使用予定情報を保持させておくことによって、表示装置の起動を制御できる。従って、表示装置の起動を自動化することができ、ユーザーの利便性の向上を図ることができる。
【００１５】
また、上記課題を解決するため、本発明は、画像を表示する表示手段を備えた表示装置の制御方法であって、当該表示装置の使用予定情報を取得し、取得した前記使用予定情報に基づいて、当該表示装置の表示開始時刻に前記表示手段による表示を開始することを特徴とする。
本発明の制御方法を表示装置に適用することにより、表示装置が使用予定情報を取得して、表示開始時刻に表示を開始する。これにより、表示装置の使用予定情報を用意しておくことによって表示装置の起動を制御できる。従って、表示装置の起動を自動化することができ、ユーザーの利便性の向上を図ることができる。
【００１６】
また、本発明は、画像を表示する表示手段を備えた表示装置を制御するコンピューターが実行可能なプログラムあって、前記コンピューターを、当該表示装置の使用予定情報を取得する情報取得手段と、前記情報取得手段により取得された使用予定情報に基づいて、当該表示装置の表示開始時刻に前記表示手段による表示を開始する起動制御手段として機能させることを特徴とするプログラムとして実現してもよい。
このプログラムをコンピューターによって実行することにより、表示装置を制御して、表示装置によって使用予定情報を取得して、表示開始時刻に表示を開始する。これにより、表示装置の使用予定情報を用意しておくことによって表示装置の起動を制御できる。従って、表示装置の起動を自動化することができ、ユーザーの利便性の向上を図ることができる。
【００１７】
また、本発明は、画像を表示する表示手段を備えた表示装置を制御するコンピューターにより読み取り可能にプログラムを記録した情報記録媒体であって、前記プログラムは、前記コンピューターを、当該表示装置の使用予定情報を取得する情報取得手段と、前記情報取得手段により取得された使用予定情報に基づいて、当該表示装置の表示開始時刻に前記表示手段による表示を開始する起動制御手段として機能させることを特徴とする情報記録媒体として実現してもよい。
この情報記録媒体に記録されたプログラムをコンピューターによって読み取って実行することにより、表示装置が使用予定情報を取得して、表示開始時刻に表示を開始する。これにより、表示装置の使用予定情報を用意しておくことによって表示装置の起動を制御できる。従って、表示装置の起動を自動化することができ、ユーザーの利便性の向上を図ることができる。
【発明の効果】
【００１８】
本発明によれば、表示装置の使用予定情報を用意しておくことによって表示装置の起動を制御し、表示装置の起動を自動化できるので、ユーザーの利便性の向上を図ることができる。
【図面の簡単な説明】
【００１９】
【図１】本発明の実施形態に係るプロジェクターを備えた表示システムの概略構成を示す図である。
【図２】表示システムの機能的構成を示すブロック図である。
【図３】プロジェクターの動作に係る情報の構成例を模式的に示す図であり、（Ａ）はプロジェクターと設置場所との対応を定めたプロジェクター管理テーブルの構成例を示し、（Ｂ）はスケジュールデータの構成例を示す。
【図４】スケジュール管理画面の例を示す図である。
【図５】プロジェクターの機能的構成を示すブロック図である。
【図６】プロジェクターの動作を示すフローチャートである。
【発明を実施するための形態】
【００２０】
以下、図面を参照して本発明を適用した実施形態について説明する。
図１は、本発明の実施形態に係るプロジェクター１１を備えた表示システム１０の概略構成を示す図である。この図１に示す表示システム１０は、複数の室２に設置された複数のプロジェクター１１と、スケジュール管理サーバー１３とを、通信ネットワーク１７を介して相互に通信可能に接続して構成される。この表示システム１０は、例えば、一つの建物内に敷設された通信ネットワーク１７により、複数の室２に設置されたプロジェクター１１と、このプロジェクター１１の外部の装置として、別室に設けられたスケジュール管理サーバー１３とを接続して設けられる。
表示装置としてのプロジェクター１１は各々の室２に設置され、室２に設けられたスクリーンＳＣ（投射面）に画像を投射する。また、各プロジェクター１１には通信装置１４及び撮影装置１６が接続され、後述するテレビ会議システム１５を構成している。
【００２１】
スケジュール管理サーバー１３（予定管理装置）は、各々の室２の使用予定を定めるスケジュールデータを記憶する装置であり、通信ネットワーク１７を介して接続されたプロジェクター１１からの要求に応答して、要求されたスケジュールデータをプロジェクター１１に送信する。
通信ネットワーク１７は、有線又は無線通信回線により構成されるＬＡＮ（Local Area Network）等の双方向通信可能なネットワークであり、各々のスケジュール管理サーバー１３とプロジェクター１１とを相互に通信可能に接続する。
【００２２】
図２は、表示システム１０の構成を示すブロック図である。
この図２に示すように、プロジェクター１１は、通信装置１４に接続されており、この通信装置１４に接続された撮影装置１６とともにテレビ会議システム１５を構成する。
通信装置１４は、公衆電話回線網や専用線等で構成される通信回線５に接続され、この通信回線５を介して外部の装置との間で音声及び画像を送受信するテレビ会議（テレビ電話）用の通信装置である。通信装置１４は、通話相手先との間で送受信する通話音声を入出力するため、室２内の音声を集音するマイク１４７と、室２内に音声を出力するスピーカー１４８とを備えている。また、通信装置１４は、室２内の画像をテレビ会議の通話の相手先へ送信するため、撮影装置１６に接続される一方、通話相手先から受信した画像を表示するため、プロジェクター１１に接続されている。
【００２３】
通信装置１４は、通信装置１４の各部を統合的に制御する通信制御部１４１、通信回線５に接続される通信Ｉ／Ｆ（インターフェイス）１４２、マイク１４７により室２内の音声を集音するとともに、通信Ｉ／Ｆ１４２を介して受信した音声に基づきスピーカー１４８を駆動して音声を出力する音声入出力制御部１４３、撮影装置１６により室２内の所定範囲を撮影した撮影画像データを取得するとともに、通信Ｉ／Ｆ１４２により受信した画像を表示するための画像信号をプロジェクター１１に出力する画像制御部１４４、及び、通信装置１４の電源をオン／オフする電源スイッチや通話相手先の電話番号を入力するキー等を備えた操作部１４５を備えている。
通信装置１４は、室２内の音声をマイク１４７により集音し、室２内の画像を撮影装置１６によって撮影し、この音声及び画像を通話相手先に送信するとともに、通話相手先から受信した音声をスピーカー１４８により出力し、受信した画像をプロジェクター１１によりスクリーンＳＣに投射することで、テレビ会議を実現する。
【００２４】
撮影装置１６は、ＣＣＤやＣＭＯＳ等の撮像素子（図示略）、及び、この撮像素子の出力値に基づき撮影画像データを生成する出力回路（図示略）等を備え、撮影画像データを通信装置１４に出力する。また、プロジェクター１１は、後述するように、通信装置１４から入力される画像信号に基づいてスクリーンＳＣに画像を投射する。
【００２５】
図２に示すように、プロジェクター１１が通信ネットワーク１７により接続されるスケジュール管理サーバー１３は、各室２の使用予定時刻等を定めたスケジュールデータを格納するスケジュールデータ格納部１３１と、スケジュールデータ格納部１３１に格納されたスケジュールデータの読み出し、更新、削除等を行うスケジュールデータ管理部１３２とを有する。スケジュールデータ格納部１３１は、スケジュール管理サーバー１３が備えるハードディスク装置等の記憶装置により実現され、スケジュールデータ管理部１３２は、スケジュール管理サーバー１３のＣＰＵ（図示略）がＲＯＭや上記記憶装置に記憶されたプログラムを実行することにより、実現される。
【００２６】
ここで、スケジュールデータの構成について説明する。
図３は、プロジェクター１１の動作に係る情報の構成例を模式的に示す図であり、（Ａ）はプロジェクター１１と設置場所である室２との対応を定めたプロジェクター管理テーブル２１０の構成例を示し、（Ｂ）はスケジュールデータ１３１Ａの構成例を示す。
図１に示したように、各々のプロジェクター１１は室２に設置され、図３（Ａ）に示すプロジェクター管理テーブル２１０は、各室２と各プロジェクター１１との対応を定義するデータを格納している。このプロジェクター管理テーブル２１０を参照すれば、各室２に、どのプロジェクター１１が設置されているかを特定できる。本実施形態では各室２に「第１会議室」、「第２会議室」、「大会議室」、…といった名称が付されている。
プロジェクター管理テーブル２１０は、スケジュール管理サーバー１３のスケジュールデータ格納部１３１が記憶していてもよいし、各々のプロジェクター１１が記憶していてもよい。各室２への設置台数は任意に変更可能であり、複数のプロジェクター１１が一つの室２に設置された場合はプロジェクター管理テーブル２１０により一つの室２に複数のプロジェクター１１を対応づければよい。また、上述のようにプロジェクター１１の撤去時及び新設時にはプロジェクター管理テーブル２１０が更新される。
【００２７】
図３（Ｂ）に示すように、スケジュールデータ格納部１３１に格納されるスケジュールデータ１３１Ａ（使用予定情報）は、プロジェクター１１が設置された室２の名称と、その室２の使用開始日時及び使用終了日時とを対応づけるデータである。この図３の例では、スケジュールデータ１３１Ａは１件の予定に対応して生成され、スケジュールデータ格納部１３１には予定数に相当する数のスケジュールデータ１３１Ａが格納される。図３（Ｂ）ではスケジュールデータ１３１Ａが使用開始日時順にソートされているが、スケジュールデータ管理部１３２によって、室２の名称等をキーとしてスケジュールデータ１３１Ａを検索することも可能である。
【００２８】
このように室２毎の使用予定を定めるスケジュールデータ１３１Ａと、図３（Ａ）に示すプロジェクター管理テーブル２１０とを対照すれば、各々のプロジェクター１１について、その設置場所（会議室）の表示開始時刻および終了時刻を特定できる。従って、プロジェクター１１の表示開始及び終了の日時を、その設置場所の使用開始及び終了の日時と同日同時刻とすれば、各々のプロジェクター１１の表示開始及び終了の日時をスケジュールデータ１３１Ａから特定できる。
なお、図３（Ａ）及び（Ｂ）に示す例では各室２を識別するための情報として室２の名称（「第１会議室」、「第２会議室」、「大会議室」、…）を用いていたが、各室２に番号や記号からなる識別情報を与えて、この識別情報により各室２を識別してもよく、室２を識別するために用いる情報の種類や内容は任意に設定してよい。
【００２９】
図４は、スケジュールデータの作成、編集或いは確認を行うためのスケジュール管理画面２０１の例を示す図である。このスケジュール管理画面２０１は、例えば、スケジュール管理サーバー１３をオペレーターが操作する際にスケジュール管理サーバー１３の表示画面（図示略）に表示される。また、図示しない他のＰＣ（Personal  Computer）が通信ネットワーク１７を介してスケジュール管理サーバー１３にアクセスし、スケジュールデータを編集する場合に、当該ＰＣの画面に表示される。
スケジュール管理画面２０１は、表示システム１０を構成する室２毎にスケジュールを表示する画面であり、例えば図４の日毎スケジュール表示部２０３には第１会議室の使用スケジュールが表示されている。スケジュール管理サーバー１３の操作により、日毎スケジュール表示部２０３に表示されるスケジュールを、他の室２の使用スケジュールに切り替えることができる。
スケジュール管理画面２０１には、各月のカレンダーを表示するカレンダー表示部２０２と、日ごとの予定を表示する日毎スケジュール表示部２０３とが配置され、日毎スケジュール表示部２０３には、各日の予定のスケジュールデータ２０４が、予定ごとに表示される。図４に例示するスケジュールデータ２０４には、室２の使用者名と使用開始時刻及び使用終了時刻が表示されている。各予定は独立して入力・設定され、室２と日時に対応づけられる。このスケジュール管理画面２０１上の入力操作により作成されたスケジュールデータは、スケジュールデータ格納部１３１に格納され、このスケジュールデータによりプロジェクター１１の動作を制御できる。
【００３０】
図５は、プロジェクター１１の機能的構成を示すブロック図である。
プロジェクター１１は、ビデオ再生装置、ＤＶＤ再生装置等の外部の装置に接続されるＩ／Ｆ（インターフェイス）１０１を備えている。Ｉ／Ｆ１０１は、例えば、ＵＳＢインターフェイス、有線または無線ＬＡＮインターフェイス、アナログ映像信号が入力されるＶＧＡ端子、デジタル映像信号が入力されるＤＶＩ（Digital Visual Interface）、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子、ＨＤＭＩ（登録商標）規格に準拠したＨＤＭＩコネクター等を備えている。本実施形態のプロジェクター１１のＩ／Ｆ１０１には、上記のいずれかの端子に、通信装置１４に繋がるケーブルが接続されている。
【００３１】
プロジェクター１１は、大きく分けて光学的な画像の形成を行う光学系と画像信号を電気的に処理する画像処理系とからなる。光学系は、照明光学系３１、光変調装置である液晶パネル３２、及び投射光学系３３から構成される投射部３（表示手段）である。照明光学系３１は、キセノンランプ、超高圧水銀ランプ、ＬＥＤ（Light Emitting Diode）等からなる光源を備えている。また、照明光学系３１は、光源が発した光を液晶パネル３２に導くリフレクター及び補助リフレクターを備えていてもよく、投射光の光学特性を高めるためのレンズ群（図示略）、偏光板、或いは光源が発した光の光量を液晶パネル３２に至る経路上で低減させる調光素子等を備えたものであってもよい。
液晶パネル３２は、後述する画像処理系からの信号を受けて、照明光学系３１からの光を変調する。液晶パネル３２は、カラーの投影を行うため、ＲＧＢの三原色に対応した３枚の液晶パネルからなる。そのため、照明光学系３１からの光はＲＧＢの３色の色光に分離され、各色光は対応する各液晶パネルに入射する。各液晶パネルを通過して変調された色光はクロスダイクロイックプリズム等の合成光学系によって合成され、投射光学系３３に射出される。
【００３２】
投射光学系３３は、投射する画像の拡大・縮小および焦点の調整を行うズームレンズ、ズームの度合いを調整するズーム調整用モーター、フォーカスの調整を行うフォーカス調整用モーター等を備えている。この光学系には、制御部１０３の制御に従って投射光学系３３が備える各モーターを駆動する投射光学系駆動部１２１、及び、制御部１０３の制御に従って照明光学系３１が備える光源を駆動する光源駆動部１１７が接続されている。
【００３３】
一方、画像処理系は、プロジェクター１１全体を統合的に制御する制御部１０３を中心に構成され、制御部１０３が処理するデータや制御部１０３が実行する制御プログラム１０５Ａを記憶した記憶部１０５、操作パネル４５及びリモコン受光部４１を介してユーザーの操作を検出する入力処理部１２３、Ｉ／Ｆ１０１を介して入力された入力画像を処理する表示制御部１０７、表示制御部１０７の制御に従って画像処理部１１３、表示制御部１０７から出力される画像信号に基づいて液晶パネル３２を駆動して描画を行う光変調装置駆動部１１９を備えている。
【００３４】
制御部１０３は、記憶部１０５に記憶された制御プログラム１０５Ａを読み出して実行することにより、プロジェクター１１の各部を制御する。制御部１０３は、入力処理部１２３から入力される操作信号に基づいて、操作者が行った操作の内容を検出し、この操作に応じて表示制御部１０７、投射光学系駆動部１２１及び光源駆動部１１７を制御して、スクリーンＳＣに画像を投射させる。
また、制御部１０３には通信Ｉ／Ｆ（インターフェイス）１１１が接続されている。通信Ｉ／Ｆ１１１は、例えば有線または無線ＬＡＮインターフェイスを備え、通信ネットワーク１７に接続されている。制御部１０３は、通信Ｉ／Ｆ１１１を介して、スケジュール管理サーバー１３との間で制御データやスケジュールデータを送受信する。
【００３５】
プロジェクター１１の外装筐体（図示略）には各種スイッチ及びインジケーターランプを備えた操作パネル４５が配置されている。操作パネル４５は入力処理部１２３に接続されている。入力処理部１２３は、制御部１０３の制御に従い、プロジェクター１１の動作状態や設定状態に応じて操作パネル４５のインジケーターランプを適宜点灯或いは点滅させる。また、操作パネル４５のスイッチが操作されると、操作されたスイッチに対応する操作信号が入力処理部１２３から制御部１０３に出力される。
プロジェクター１１は、操作者が使用するリモコン（図示略）がボタン操作に対応して送信した赤外線信号を、リモコン受光部４１によって受光する。リモコン受光部４１は、上記リモコンから受光した赤外線信号を受光素子によりアナログ電圧に変換して入力処理部１２３に出力する。入力処理部１２３は、リモコン受光部４１が出力するアナログ電圧を量子化し、デコード等の処理を行い、上記リモコンにおける操作内容を示す操作信号を制御部１０３に出力する。
【００３６】
Ｉ／Ｆ１０１には表示制御部１０７が接続される。表示制御部１０７には、画像処理部１１３が接続され、この画像処理部１１３にはフレームメモリー１１５が接続されている。
表示制御部１０７（表示制御手段）は、Ｉ／Ｆ１０１を介して入力される入力画像のアナログ／デジタルの判別、画像フォーマット（フレームレート、解像度、圧縮状態）の判別等を行い、入力画像を液晶パネル３２に表示するために必要な処理を決定し、画像処理部１１３を制御して当該処理を実行する。そして、画像処理部１１３により処理された画像信号を光変調装置駆動部１１９に出力し、液晶パネル３２に表示させる。
画像処理部１１３は、表示制御部１０７の制御に従って、Ｉ／Ｆ１０１を介して入力される入力画像をフレームメモリー１１５に展開し、アナログ／デジタル変換、インターレース／プログレッシブ変換、解像度変換等の各種変換処理を適宜実行し、予め設定されたフォーマットの画像信号を生成して表示制御部１０７に出力する。また、画像処理部１１３は、表示制御部１０７の制御に従って、キーストーン補正、カラーモードに対応した色調補正、画像の拡大／縮小処理等の各種の画像処理を実行可能である。
【００３７】
また、制御部１０３は、制御プログラム１０５Ａを実行することにより、スケジュール取得部１０６Ａ（情報取得手段）、動作監視部１０６Ｂ、及び起動制御部１０６Ｃ（起動制御手段）として機能するほか、現在時刻及び指定された時間を計時するタイマー１０６Ｄの機能を備えている。
タイマー１０６Ｄは、予めスケジュールデータの取得間隔として設定された時間が経過する毎に、スケジュール取得部１０６Ａ及び起動制御部１０６Ｃに対して取得タイミングを通知する。
動作監視部１０６Ｂは、プロジェクター１１の動作状態を監視する。プロジェクター１１の動作状態としては、電源オフ状態、電源オフであって後述するように最小限の制御系だけ起動している状態、電源オン状態、電源オン状態で照明光学系３１の光源が点灯している状態等がある。
【００３８】
起動制御部１０６Ｃは、タイマー１０６Ｄから入力される起動タイミングに従って、プロジェクター１１の各部の電源をオン／オフする制御を行う。すなわち、タイマー１０６Ｄから電源オン日時を通知する信号が入力されると、プロジェクター１１の電源をオンに切り換え、照明光学系３１の光源を点灯させる。また、タイマー１０６Ｄから投射開始日時を通知する信号が入力されると、光変調装置駆動部１１９及び投射光学系駆動部１２１を制御して、スクリーンＳＣへの画像の投射を開始させる。起動制御部１０６Ｃは、タイマー１０６Ｄにより投射終了日時を通知する信号が入力されると、光変調装置駆動部１１９及び投射光学系駆動部１２１を制御して投射を終了させるとともに、照明光学系３１の光源を消灯させる。そして、起動制御部１０６Ｃは、タイマー１０６Ｄから電源オフ日時を通知する信号が入力されると、プロジェクター１１の電源をオフにする。
また、起動制御部１０６Ｃは、タイマー１０６Ｄから、スケジュールデータを取得する取得タイミングが入力された場合に、制御部１０３、記憶部１０５及び通信Ｉ／Ｆ１１１を含む制御系の最小限の構成のみ起動させる。
【００３９】
スケジュール取得部１０６Ａは、タイマー１０６Ｄから入力される取得タイミングに従って、スケジュール管理サーバー１３のスケジュールデータ管理部１３２に対して、自装置（プロジェクター１１）が設置された室２のスケジュールデータを要求する。ここで、スケジュール取得部１０６Ａは、当該プロジェクター１１が設置された室２の識別情報（名称）を、予め記憶部１０５に記憶された情報から取得してもよいし、スケジュールデータ格納部１３１から取得してもよい。すなわち、スケジュール管理サーバー１３がプロジェクター管理テーブル２１０（図３（Ａ））を記憶している場合には、このプロジェクター管理テーブル２１０に基づいて、スケジュールデータ格納部１３１に検索を行わせてもよい。また、プロジェクター管理テーブル２１０や、該当する室２の識別情報を記憶部１０５に記憶している場合は、スケジュール取得部１０６Ａが記憶部１０５の情報を参照して、識別情報を取得すればよい。
そして、スケジュール取得部１０６Ａは、スケジュールデータ管理部１３２の機能により該当するスケジュールデータが検索され、スケジュールデータ格納部１３１から読み出されて送信されると、このスケジュールデータを受信して、記憶部１０５にスケジュールデータ１０５Ｂとして記憶する。
【００４０】
起動制御部１０６Ｃは、記憶部１０５に記憶されたスケジュールデータ１０５Ｂを解析して、プロジェクター１１が設置された室２の使用開始日時および使用終了日時を特定する。ここで、複数の使用予定に関するスケジュールデータ１０５Ｂがあれば、複数の使用予定に関する使用開始日時および使用終了日時を特定する。使用開始日時は、プロジェクター１１の投射開始日時として設定され、使用終了日時はプロジェクター１１の投射終了日時として設定される。これらの日時は、例えば分単位または秒単位で決定され、管理される。
そして、起動制御部１０６Ｃは、特定した使用開始日時に、照明光学系３１の光源を安定させるために必要な時間を加味して、電源オンの日時を決定する。例えば、照明光学系３１のランプの点灯開始から輝度ないし光量が安定するまでの時間が３分間である場合、起動制御部１０６Ｃは、電源オン日時を、スケジュールデータ１０５Ｂをもとに特定した表示開始時刻の３分前に決定する。また、起動制御部１０６Ｃは、スケジュールデータ１０５Ｂをもとに特定した使用終了日時に基づいて電源オフ日時を決定する。電源オフ日時は使用終了日時と同一としてもよいが、照明光学系３１のランプを消灯してからランプの温度が十分に低下するまでの時間を加味して決定してもよい。例えば、投射終了日時の３分後を電源オフ日時に決定すれば、ランプは消灯後３分間、プロジェクター１１の冷却ファン（図示略）により冷却される。
【００４１】
また、起動制御部１０６Ｃは、タイマー１０６Ｄから電源オン時間を通知する信号が入力された際に、動作監視部１０６Ｂにより動作状態を判定させ、プロジェクター１１がすでに電源オンまたは投射中である場合は、照明光学系３１のランプを点灯させる制御を行わない。
さらに、起動制御部１０６Ｃは、電源オン時間を通知する信号が入力された際に、プロジェクター１１が電源オフ状態または投射終了後である場合は、投射終了から所定時間内であるか否かを判別する。そして、投射終了から所定時間内（例えば、１０分以内）である場合には、電源オン時間になっても照明光学系３１のランプを点灯させない。つまり、ランプが消灯直後で、再点灯した場合に速やかに光量が安定する場合であれば、事前にランプを点灯させておく必要がない。この場合のランプの消灯は、操作パネル４５の電源スイッチの操作により消灯した場合も含む。この所定時間は、予め記憶部１０５に記憶した情報で設定されてもよいし、季節毎または周囲の気温等により、或いは操作パネル４５の操作によって変更してもよい。この場合、電源オン時間にランプが点灯されないが、起動制御部１０６Ｃは、使用開始日時にランプを点灯させるので、使用開始日時にプロジェクター１１が使用可能な状態になることは上記と同様である。
【００４２】
図６は、プロジェクター１１の動作を示すフローチャートである。
プロジェクター１１の制御部１０３は、タイマー１０６Ｄの機能により常に計時を行い、予め設定された取得タイミングになると、起動制御部１０６Ｃに対し取得タイミングを通知して制御系を起動させる（ステップＳ１１）。ここで、スケジュール取得部１０６Ａはスケジュール管理サーバー１３にアクセスして、当該プロジェクター１１が設置された室２のスケジュールデータを取得する（ステップＳ１２）。ここで、スケジュール取得部１０６Ａは、スケジュールデータ格納部１３１に該当するスケジュールデータがあるか否かを判別し（ステップＳ１３）、使用予定がある場合（スケジュールデータがある場合）には（ステップＳ１３；Ｙｅｓ）、このスケジュールデータをダウンロードして記憶部１０５に記憶する。続いて、制御部１０３は起動制御部１０６Ｃの機能により、記憶部１０５に記憶されたスケジュールデータ１０５Ｂをもとに、室２の使用開始日時及び使用終了日時を特定する（ステップＳ１４）。ここで特定された室２の使用開始日時及び使用終了日時は、そのまま、プロジェクター１１の投射開始日時及び投射終了日時として、タイマー１０６Ｄに設定される。
【００４３】
続いて、起動制御部１０６Ｃは、プロジェクター１１の投射開始日時から、ランプの点灯時に光量が安定するまでの時間を差し引いた電源オン日時を決定し、投射終了日時にランプの消灯時の冷却時間を加えた電源オフ日時を決定する（ステップＳ１５）。
ここで、起動制御部１０６Ｃは、プロジェクター１１がすでに投射中であるか否かを判別し（ステップＳ１６）、動作監視部１０６Ｂの機能により投射中でないと判別された場合は（ステップＳ１６；Ｎｏ）、上述した制御系のみが動作した状態で待機する（ステップＳ１７）。そして、起動制御部１０６Ｃは、タイマー１０６Ｄにより電源オン日時が通知されるまで（ステップＳ１８；Ｎｏ）、ステップＳ１６〜Ｓ１８で待機する。また、投射中であった場合は（ステップＳ１６；Ｙｅｓ）、投射を継続した状態で、電源オン日時まで待機する（ステップＳ１８）。
【００４４】
タイマー１０６Ｄから電源オン日時が通知されると（ステップＳ１８；Ｙｅｓ）、起動制御部１０６Ｃは、照明光学系３１のランプが消灯後所定時間内または点灯中であるか、消灯後所定時間以上経過後かを判別する（ステップＳ１９）。ランプの消灯後所定時間以上経過後であれば（ステップＳ１９；Ｎｏ）、起動制御部１０６Ｃはランプを点灯させるとともに、光変調装置駆動部１１９を制御して液晶パネル３２の表示領域全体に黒表示をさせて、照明光学系３１からの光がスクリーンＳＣに投射されない状態とする（ステップＳ２０）。その後、起動制御部１０６Ｃは、タイマー１０６Ｄから投射開始日時が通知されるまで待機する（ステップＳ２１；Ｎｏ）。また、ランプの点灯中またはランプの消灯後所定時間内であれば（ステップＳ１９；Ｙｅｓ）、起動制御部１０６Ｃは、そのまま投射開始日時が通知されるまで待機する（ステップＳ２１；Ｎｏ）。
【００４５】
タイマー１０６Ｄから投射開始日時が通知されると（ステップＳ２１；Ｙｅｓ）、起動制御部１０６Ｃは表示制御部１０７を制御して、Ｉ／Ｆ１０１から入力される画像信号に基づいて表示画像データを生成し、光変調装置駆動部１１９を駆動して、液晶パネル３２に入力画像を描画させ、画像の投射を開始し（ステップＳ２２）、ステップＳ２５に移行する。
【００４６】
一方、スケジュール取得部１０６Ａがスケジュールデータ管理部１３２に要求したスケジュールデータがない場合（ステップＳ１３；Ｎｏ）、起動制御部１０６Ｃは、プロジェクター１１がすでに投射中であるか否かを判別する（ステップＳ２３）。動作監視部１０６Ｂの機能により投射中でないと判別された場合は（ステップＳ２３；Ｎｏ）、上述した制御系のみが動作した状態に移行し（ステップＳ２４）、ステップＳ２５に移行する。また、プロジェクター１１がすでに投射中である場合は（ステップＳ２３；Ｙｅｓ）、ステップＳ２５に移行する。
ステップＳ２５で、起動制御部１０６Ｃは、タイマー１０６Ｄから終了日時が通知されたか否かを判別し、終了日時が通知されるまでは（ステップＳ２５；Ｎｏ）、ステップＳ１２に戻る。タイマー１０６Ｄから終了日時が通知された場合は（ステップＳ２５；Ｙｅｓ）、投射部３による投射を終了して、電源をオフにする（ステップＳ２６）。なお、投射終了日時から電源オフ日時まで時間がある場合、起動制御部１０６Ｃは、ステップＳ２６で待機する。
【００４７】
以上説明したように、本発明を適用した実施形態に係る表示システム１０のプロジェクター１１は、複数のプロジェクター１１のスケジュールデータを記憶したスケジュール管理サーバー１３と通信可能に接続され、画像を表示する投射部３と、スケジュール管理サーバー１３から当該プロジェクター１１のスケジュールデータを取得するスケジュール取得部１０６Ａと、スケジュール取得部１０６Ａにより取得されたスケジュールデータに基づいて、当該プロジェクター１１の投射開始日時（表示開始時刻）に投射部３による表示を開始する起動制御部１０６Ｃとを備え、プロジェクター１１がスケジュール管理サーバー１３からスケジュールデータを取得して、投射開始日時に表示を開始するので、プロジェクター１１のスケジュールデータを用意しておくことによってプロジェクター１１の起動を制御できる。従って、プロジェクター１１の起動を自動化することができ、ユーザーの利便性の向上を図ることができる。また、プロジェクター１１が接続されたスケジュール管理サーバー１３に、スケジュールデータ１３１Ａを保持させておくことによって各プロジェクター１１のスケジュールを一元的に管理できる。
【００４８】
また、スケジュール管理サーバー１３が格納するスケジュールデータは、複数のプロジェクター１１がそれぞれ設置された設置場所毎にスケジュール管理サーバー１３に用意され、プロジェクター１１のスケジュール取得部１０６Ａは、スケジュール管理サーバー１３から、当該プロジェクター１１が設置された室２に対応するスケジュールデータを取得して表示を開始するので、設置場所のスケジュールデータを用意しておくことで当該設置場所に設置されたプロジェクター１１の起動を制御できる。これにより、プロジェクター１１を識別しなくても、設置場所である室２の使用予定を決めておけば、その室２で使用されるプロジェクター１１を自動的に起動させることができる。従って、より一層の利便性の向上を図ることができる。
【００４９】
また、起動制御部１０６Ｃは、スケジュール取得部１０６Ａにより取得されたスケジュールデータに基づいて当該プロジェクター１１の投射開始日時を求め、求めた投射開始日時に、当該プロジェクター１１の表示状態を安定させるために必要な時間を加味した電源オン日時（準備開始時刻）に投射部３を起動して光源を点灯させる。すなわち、プロジェクター１１は、当該プロジェクター１１の投射状態を安定させるために必要な時間を加味して動作し、スケジュールデータに基づいて投射を開始するので、使用開始前にプロジェクター１１を起動させておく等の人手による作業が必要なくなり、より一層の利便性の向上を図ることができる。
【００５０】
また、光源を有する照明光学系３１を備え、光源の投射光により画像をスクリーンＳＣに投射する投射部３を備えたプロジェクター１１が、起動制御部１０６Ｃの機能により、スケジュール取得部１０６Ａにより取得されたスケジュールデータに基づいて求めた投射開始日時に、光源の光量が安定するまでに必要な時間を加味した電源オン日時に光源を点灯させるので、光源の点灯から光量が安定するまでの時間が比較的長いプロジェクター１１が、この光量が安定するまでの時間を加味して光源を点灯し、定められた投射開始日時に表示を開始する。これにより、プロジェクター１１を使用する前に、予め電源を投入しておくといった手間を省くことができ、より一層の利便性の向上を図ることができる。
【００５１】
また、起動制御部１０６Ｃは、電源オン日時またはそれ以前に光源が点灯され、光源の光量が安定するまでに必要な時間が短縮されている場合には、電源オン日時に光源を点灯する制御を行わないので、光源が消灯されていた時間が短く、光量が安定するまで通常時ほどの時間が必要ない場合に、予め光源を点灯する動作が行われないので、消費電力を抑えることができ、ユーザーの利便性を損なうことなく、効率よくプロジェクター１１を使用できる。
【００５２】
また、起動制御部１０６Ｃは、スケジュールデータに基づいて当該プロジェクター１１の投射終了日時（表示終了日時）を求め、求めた投射終了時刻に投射部３による表示を終了するので、スケジュールデータを利用してプロジェクター１１を制御し、自動的に表示を終了させることができる。
また、スケジュール取得部１０６Ａは、投射部３による投射中もスケジュールデータを取得するので、最新のスケジュールデータに基づいてプロジェクター１１を動作させることができる。
【００５３】
また、通信回線５を介して他の装置との間で音声及び画像を送受信し、送受信する音声及び画像を出力する通信装置１４に接続され、表示制御部１０７により、通信装置１４が出力する画像を投射部３により表示する機能を有し、テレビ会議システム１５を構成するプロジェクター１１を、スケジュールデータを用いて自動的に起動させ、表示を開始させることができる。
なお、この場合に、起動制御部１０６Ｃが、投射開始日時を決定した後で通信装置１４の通信制御部１４１を制御して、投写開始とともに、通信装置１４によって通話先の外部の装置に対する発呼（発信）を実行させてもよい。この場合、プロジェクター１１が画像の投射を開始するとともに回線が接続され、室２の使用開始とともに速やかにテレビ会議を開始できる。この場合、スケジュールデータ格納部１３１に格納されるスケジュールデータに、会議の相手先と通信を行うための通信情報（通話相手先の電話番号やＩＰアドレス等）を含めておくことにより、発呼（発信）する相手先を指定する手間を省くことができる。また、起動制御部１０６Ｃの制御により、撮影装置１６が撮影を開始する構成としてもよい。この構成によれば、スケジュールデータ格納部１３１に室２の使用開始と終了の日時をスケジュールデータとして設定しておくだけで、事前に人が準備作業を行わなくてもテレビ会議システム１５による会議を開始できる。
【００５４】
また、上記実施形態では、プロジェクター１１は投射開始日時に通信装置１４が出力する画像をスクリーンＳＣに投射するものとしたが、ここで投射する画像をスケジュールデータに含めることも可能である。すなわち、図４に示したスケジュール管理画面２０１において、スケジュールデータ２０４に、画像データやプレゼンテーションファイルなどプロジェクター１１の機能により表示可能なデータファイルを添付可能とする。このスケジュール管理画面２０１に対する操作により、添付されたファイルは、室２の使用開始時刻及び使用終了時刻を示すデータとともに、スケジュールデータ格納部１３１に格納される。そして、プロジェクター１１がスケジュール取得部１０６Ａの機能によりスケジュールデータをスケジュールデータ格納部１３１から取得する際に、このスケジュールデータに関連づけてスケジュールデータ格納部１３１に格納されたデータファイルを合わせて取得し、記憶部１０５に記憶する。起動制御部１０６Ｃは、投射開始時刻に投射部３による投射を開始する際に、記憶部１０５に記憶されたデータファイルを再生し、このデータファイルの画像をスクリーンＳＣに投射させる。この場合、テレビ会議システム１５に限らず、プロジェクター１１を設置した室２において任意の画像を自動的に投射させることができる。
【００５５】
なお、上記実施形態に係る表示システム１０では、スケジュール管理サーバー１３がスケジュールデータ格納部１３１を格納し、このスケジュールデータ格納部１３１に格納されたプロジェクター管理テーブル２１０及びスケジュールデータ１３１Ａを、スケジュールデータ管理部１３２によって管理する構成としたが、本発明はこれに限定されない。例えば、表示システム１０を構成するプロジェクター１１が、スケジュールデータ１３１Ａを管理する機能を有する構成としても良い。
すなわち、表示システム１０が備えるプロジェクター１１のうちいずれか、或いは各プロジェクター１１が、通信ネットワーク１７を介して接続されたスケジュール管理サーバー１３や他の端末装置（パーソナルコンピューター、携帯型電話機、ＰＤＡ（Personal Digital Assistant）等）からのアクセスに応じて、プロジェクター管理テーブル２１０及びスケジュールデータ１３１Ａに基づいて、スケジュール管理画面２０１を表示するための表示データを送信するウェブサーバーとしての機能を有する構成としても良い。この場合、当該プロジェクター１１は、スケジュール管理サーバー１３や他の端末装置のアクセスに応じて、スケジュールデータ管理部１３２と同様にスケジュールデータ１３１Ａを編集する機能を有していても良い。この場合のスケジュールデータ１３１Ａは、各プロジェクター１１が備える記憶部１０５に記憶していても良いし、他のコンピューターが備える記憶装置に格納されていてもよい。この場合、いずれかのプロジェクター１１がスケジュールデータ１３１Ａの管理を行う機能を有することで、スケジュール管理サーバー１３を用意する必要が無く、プロジェクター１１のスケジュール管理を行える。また、全てのプロジェクター１１が、自己のスケジュールに係るスケジュールデータ１３１Ａを記憶し、外部のスケジュール管理サーバー１３や他の端末装置のアクセスに応じて、自己の使用開始日時及び使用終了日時を定めるスケジュールデータ１３１Ａを管理する構成としても良い。この場合、各プロジェクター１１がスケジュールを管理する機能を有するので、室２毎のスケジュールの管理が容易になる。また、プロジェクター管理テーブル２１０が不要となり、プロジェクター１１を他の室２に移動させたり、プロジェクター１１を増減させたりする表示システム１０の構成変更、及び、表示システム１０の構築時にプロジェクター管理テーブル２１０を書き換える必要がない。従って、システムの構築及び構成変更が容易になる。
【００５６】
また、上述した各実施形態は本発明を適用した具体的態様の例に過ぎず、本発明を限定するものではなく、上記実施形態とは異なる態様として本発明を適用することも可能である。例えば、上記実施形態では、１台のスケジュール管理サーバー１３に対し複数のプロジェクター１１が接続された構成としたが、スケジュール管理サーバー１３の数及びプロジェクター１１の数は任意である。その他、表示システム１０の構成は任意であり、例えば、通信ネットワーク１７に他のＰＣが接続された構成としてもよい。また、上記実施形態では、各室２のプロジェクター１１はテレビ会議システム１５を構成するものとして説明したが、本発明はこれに限定されるものではなく、ＰＣ等の画像供給装置に接続されたプロジェクター１１が室２に設置されていてもよいし、プロジェクター１１が、通信ネットワーク１７を介して図示しないＰＣから画像を受信して投射するものであってもよい。
【００５７】
また、上記実施形態では、ＲＧＢの各色に対応した３枚の透過型または反射型の液晶パネル３２を用いて変調を行う構成を例に挙げて説明したが、本発明はこれに限定されるものではなく、例えば、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、光変調装置として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
また、本発明の表示装置は、スクリーンＳＣに画像を投射するプロジェクターに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当する。
【００５８】
また、図２及び図５に示した各機能部は、プロジェクター１１、スケジュール管理サーバー１３及び通信装置１４の機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１１及び表示システム１０の他の各部の具体的な細部構成についても、本発明の趣旨を逸脱しない範囲で任意に変更可能である。
【符号の説明】
【００５９】
２…室（設置場所）、３…投射部（表示手段）、５…通信回線、１０…表示システム、１１…プロジェクター（表示装置）、１３…スケジュール管理サーバー（外部の装置、予定管理装置）、１４…通信装置、１５…テレビ会議システム、１６…撮影装置、１７…通信ネットワーク、３１…照明光学系（光源）、３２…液晶パネル、３３…投射光学系、１０３…制御部、１０５…記憶部、１０５Ａ…制御プログラム、１０５Ｂ…スケジュールデータ、１０６Ａ…スケジュール取得部（情報取得手段）、１０６Ｂ…動作監視部、１０６Ｃ…起動制御部（起動制御手段）、１０６Ｄ…タイマー、１０７…表示制御部（表示制御手段）、１１１…通信Ｉ／Ｆ、１３１…スケジュールデータ格納部、１３１Ａ…スケジュールデータ（使用予定情報）、１３２…スケジュールデータ管理部、２０１…スケジュール管理画面、２０４…スケジュールデータ、２１０…プロジェクター管理テーブル、ＳＣ…スクリーン（投射面）。
【図１】
2015172758.tif 000003
【図２】
2015172758.tif 000004
【図３】
2015172758.tif 000005
【図４】
2015172758.tif 000006
【図５】
2015172758.tif 000007
【図６】
2015172758.tif 000008
【手続補正書】
【提出日】平成27年5月15日(2015.5.15)
【手続補正２】
【補正対象書類名】特許請求の範囲
【補正対象項目名】全文
【補正方法】変更
【補正の内容】
【特許請求の範囲】
【請求項１】
表示装置であって、
画像を表示する表示手段と、
現在時刻を計時するタイマーと、
当該表示装置の使用予定情報を記憶する記憶手段と、
前記現在時刻、及び、前記使用予定情報に基づいて、前記表示手段による表示を開始する起動制御手段と、を備えたこと、
を特徴とする表示装置。
【請求項２】
前記記憶手段に記憶された前記使用予定情報を編集する機能を有することを特徴とする請求項１記載の表示装置。
【請求項３】
前記起動制御手段は、前記使用予定情報に基づいて当該表示装置の表示開始時刻を求め、求めた使用開始時刻から、当該表示装置の表示状態を安定させるために必要な時間を差し引いた準備開始時刻に前記表示手段を起動することを特徴とする請求項１または２記載の表示装置。
【請求項４】
前記表示手段は、光源、及び前記光源の投射光により画像を投射面に投射する投射手段を含み、
前記起動制御手段は、前記使用予定情報に基づいて求めた表示開始時刻から前記光源の光量が安定するまでに必要な時間を差し引いた準備開始時刻に、前記光源を点灯させることを特徴とする請求項３記載の表示装置。
【請求項５】
前記起動制御手段は、前記準備開始時刻またはそれ以前の所定期間内に前記光源が点灯されている場合には、前記準備開始時刻に前記光源を点灯する制御を行わないことを特徴とする請求項４記載の表示装置。
【請求項６】
前記起動制御手段は、前記現在時刻、及び、前記使用予定情報に基づいて、前記表示手段による表示を終了することを特徴とする請求項１から５のいずれかに記載の表示装置。
【請求項７】
通信回線を介して他の装置との間で音声及び画像を送受信し、送受信する音声及び画像を出力する通信装置に接続され、
前記通信装置が出力する画像を前記表示手段により表示する表示制御手段を備えたことを特徴とする請求項１から６のいずれかに記載の表示装置。
【請求項８】
前記記憶手段は、他の表示装置の使用予定情報を記憶することを特徴とする請求項１から７のいずれかに記載の表示装置。
【請求項９】
現在時刻を計時するタイマー、画像を表示する表示手段、及び記憶手段を備えた表示装置の制御方法であって、
前記現在時刻を前記タイマーによって計時し、
当該表示装置の使用予定情報を前記記憶手段に記憶し、
前記現在時刻、及び、前記使用予定情報に基づいて、前記表示手段による表示を開始すること、
を特徴とする表示装置の制御方法。
【手続補正３】
【補正対象書類名】明細書
【補正対象項目名】０００１
【補正方法】変更
【補正の内容】
【０００１】
本発明は、表示装置、及び表示装置の制御方法に関する。